(57)【要約】【課題】  クロスバの入出力部で障害が発生した場合に、障害が発生したポートに接続されている装置を切り離すことなく、その障害に対応する技術を提供する。【解決手段】  クロスバ部（６）と、入力される命令を前記クロスバ部（６）に供給する入力ポート（５）と、前記クロスバ部（６）から供給される前記命令を、所定の装置に出力する出力ポート（７）と、前記入力ポート（５）の前段に設けられ、前記入力ポート（５）に供給される命令を他の入力ポート（５）に切り替える入力ポート切替部（４）と、前記入力ポート（５）に供給する擬似命令を生成する擬似命令生成部（１３１〜１３ｎ）と、前記擬似命令に対応して前記入力ポート（５）の障害発生を監視し、入力ポート（５）の障害発生時に前記入力ポート切替部（４）に対してポートの切り替えを指示するパス管理部とを具備するクロスバ・スイッチを構成する。【選択図】        図２
2006279328.tif 000002
【特許請求の範囲】
【請求項１】
クロスバ部と、
入力される命令を前記クロスバ部に供給する入力ポートと、
前記クロスバ部から供給される前記命令を、所定の装置に出力する出力ポートと、
前記入力ポートの前段に設けられ、前記入力ポートに供給される命令を他の入力ポートに切り替える入力ポート切替部と、
前記入力ポートに供給する擬似命令を生成する擬似命令生成部と、
前記擬似命令に対応して前記入力ポートの障害発生を監視し、入力ポートの障害発生時に前記入力ポート切替部に対してポートの切り替えを指示するパス管理部と
を具備する
クロスバ・スイッチ。
【請求項２】
請求項１に記載のクロスバ・スイッチにおいて、さらに、
前記出力ポートの後段に備えられた出力ポート切替部
を具備し、
前記パス管理部は、前記入力ポートの切り替えに応答して、前記出力ポート切替部に、出力ポートの切り替えを指示し、
前記出力ポート切替部は、その指示に応答して、前記命令を出力する出力ポートを変更する
クロスバ・スイッチ。
【請求項３】
請求項１または２に記載のクロスバ・スイッチにおいて、
前記入力ポート切替部は、
前記命令を受信する第１ノードと、前記入力ポートに接続される第２ノードと、前記他の入力ポートに接続される第３ノードと、
前記第１ノードを前記第２ノードまたは記第３ノードの一方に選択的に接続する入力切替スイッチとを備え、
前記入力切替スイッチは、
前記入力ポートの障害の発生に応答して、前記第１ノードと前記第２ノードとの接続を遮断し、前記第１ノードと前記第３ノードとを接続する
クロスバ・スイッチ。
【請求項４】
請求項３に記載のクロスバ・スイッチにおいて、
前記出力ポート切替部は、
前記クロスバ部から出力される前記命令を受信する第４ノードと、
前記出力ポートに接続される第５ノードと、前記他の出力ポートに接続される第６ノードと、
前記第４ノードを前記第５ノードまたは前記第６ノードの一方に選択的に接続する出力切替スイッチと
を備え、
前記出力切替スイッチは、
前記入力ポートの切替に応答して、前記第４ノードと前記第５ノードとの接続を遮断し、前記第４ノードと前記第６ノードとを接続する
クロスバ・スイッチ。
【請求項５】
請求項４に記載のクロスバ・スイッチにおいて、
前記パス管理部は、
前記クロスバ部の所定のポートに対して接続された装置から発行される接続命令に応答して、前記所定のポートが接続されたことを記録する接続ポート管理部と、
前記所定のポートの使用開始を示す使用中命令に応答して前記所定のポートが使用中である事を記録する未使用ポート管理部と、前記未使用ポート管理部は、前記所定のポートの使用を停止するときに発行される使用終了命令を受け取ったら、前記所定のポートが未使用である事を記録し、
パス切り替えが可能なポートを検索し、未接続ポートで過去に障害が発生していないポートがあった場合はパス切り替えを実施できると判断し、ポートの切り替え支持を発行するパス切替決定部と、
接続ポート管理部で未接続と判断されているポートと、未使用ポート管理部で未使用ポートと判断されているポートに対して疑似命令の発行支持を行う擬似命令発行指示部と
を備える
クロスバ・スイッチ。
【請求項６】
請求項５に記載のクロスバ・スイッチにおいて、さらに、
前記疑似命令を実行しているポートで発生する障害を検知する障害検出部を具備し、
前記障害検出部は、
障害の検知に応答して、障害が発生しているポートを障害ポートとしてポート記憶部に登録し、前記障害ポートが登録された時に障害ポート情報を出力し、
前記パス管理部は、前記障害ポート情報に応答して、パス切り替えを支持する
クロスバ・スイッチ。
【発明の詳細な説明】
【技術分野】
【０００１】
本発明は、クロスバ・スイッチに関し、特にクロスバの障害発生時にパスを切り替えることができるクロスバ・スイッチに関する。
【背景技術】
【０００２】
複数のＣＰＵ、メモリの間でデータをやり取りする際に、経路を動的に選択するためにクロスバ・スイッチが用いられている（例えば、特許文献１参照）。クロスバ・スイッチは、電磁石などによって動く接点を持った複数のスイッチで構成され、データの伝送時には必要な接点を選んで開閉する仕組みになっている。接続中はデータの送信側と受信側とを一対一で直結させることができるため、データの衝突や混線などの問題が起こりにくく、伝送速度を上げやすいという利点がある。したがって、複数のマイクロプロセッサを搭載した大規模・高性能なコンピュータの内部通信機構として利用されることが多い。
【０００３】
図１は、従来のクロスバ・スイッチを介して接続されるデータ通信を実行するシステムの構成を示すブロックである。図１を参照すると、従来のシステムはクロスバ装置１０１と、第１装置１０２と、第２装置１０３とを含んで構成されている。クロスバ装置１０１は、データを送信する送信側の装置である。第１装置１０２は、クロスバ装置１０１から供給されるデータを第２装置１０３に伝送する伝送媒体である。第２装置１０３は、送信側から送信されるデータを受信する受信側の装置である。
【０００４】
図１に示されているように、従来のクロスバ装置１０１は、入力部１０５と、クロスバ部１０６と、出力部１０７とで構成されている。入力部１０５は複数の入力ポート（１０８１〜１０８ｎ）を備え、出力部１０７は複数の出力ポート（１１０１〜１１０ｎ）を備えている。また、クロスバ部１０６は複数のスイッチで構成されるクロスバ１０９を備えている。
【０００５】
図１を参照すると、第１装置１０２は、ケーブル１１１によってクロスバ部１０６と接続を行い。クロスバ部１０６は、ケーブル１１２によって第２装置１０３と接続を行う事によって、第１装置１０２から第２装置１０３への命令を伝達している。第１装置１０２は、ケーブル１１１によってクロスバの入力部１０５に対して命令を出力する。クロスバの入力部１０５は、信号線によってクロスバ部１０６に命令を出力し、クロスバ部１０６は命令に含まれる出力先アドレスをみて、該当する出力部１０７に対して信号線よって命令を出力する。出力部１０７は、ケーブル１１２によって第２装置１０３に対して命令を出力する。
【０００６】
命令を上記経路で伝達している最中に、クロスバの入力部１０５で障害が発生した場合は、第１装置１０２をクロスバから切り離す事によって、他の装置からの命令を受け取れないようにしている。また、クロスバの出力部１０７で障害が発生した場合は、第２装置１０３をクロスバから切り離す事によって、他の装置からの命令を受け取れないようにしている。
【０００７】
また、従来のクロスバ・スイッチに障害が発生した場合に、システムを復旧する技術として、例えば、特許文献２（特開２００１−０６７２７４号公報）に記載の技術が知られている。また、クロスバ・スイッチを備えるシステムの動作確認や機能確認（以下、診断と呼ぶ）を行うことで、障害の発生を検知することが求められている。クロスバ・スイッチを備えるシステムの診断を行う技術として、例えば、特許文献３（特開２００１−０６７２７４号公報）に記載の技術が知られている。
【０００８】
【特許文献１】特開平１１−２５００１８号公報
【特許文献２】特開２００１−２５６２０３号公報
【特許文献３】特開２００１−０６７２７４号公報
【発明の開示】
【発明が解決しようとする課題】
【０００９】
上述してきた従来のクロスバ・スイッチを備えるシステムにおいて、入力ポート（または出力ポート）に障害が発生した場合、障害が発生したポートを使用している装置の切り離しを行い、クロスバの共通部で障害が発生した時は、接続されている全装置を切り離すことで、システム運用を継続している。
【００１０】
従来のクロスバ・スイッチを備えるシステムは、装置とクロスバとをケーブルで接続している。そのため、クロスバのポートで障害が発生した場合は、障害が発生したポートに対応する装置を復旧させるためには、接続するポートを変更するか、クロスバの交換をしなくてはならなかった。つまり、従来のクロスバ・スイッチを備えるシステムは、障害があったポートに繋がっている装置がシステムから切り離されてしまうために、一時的にシステムの性能が低下してしまうという問題があった。
【００１１】
本発明の目的は、クロスバの入出力部で障害が発生した場合に、障害が発生したポートに接続されている装置を切り離すことなく、その障害に対応する技術を提供することにある。
【課題を解決するための手段】
【００１２】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１３】
上記課題を解決するために、以下のようなシステムに備えられクロスバ・スイッチ（１）を以下のように構成する。そのクロスバ・スイッチ（１）は、クロスバ部（６）と、入力される命令を前記クロスバ部（６）に供給する入力ポート（５）と、前記クロスバ部（６）から供給される前記命令を、所定の装置に出力する出力ポート（７）と、前記入力ポート（５）の前段に設けられ、前記入力ポート（５）に供給される命令を他の入力ポート（５）に切り替える入力ポート切替部（４）と、前記入力ポート（５）に供給する擬似命令を生成する擬似命令生成部（１３１〜１３ｎ）と、前記擬似命令に対応して前記入力ポート（５）の障害発生を監視し、入力ポート（５）の障害発生時に前記入力ポート切替部（４）に対してポートの切り替えを指示するパス管理部とを具備するクロスバ・スイッチ（１）であることが好ましい。
【００１４】
そのクロスバ・スイッチ（１）において、さらに、前記出力ポート（７）の後段に備えられた出力ポート切替部（８）を具備する構成であってもよい。その場合、前記パス管理部は、前記入力ポート（５）の切り替えに応答して、前記出力ポート切替部（８）に、出力ポート（７）の切り替えを指示し、前記出力ポート切替部（８）は、その指示に応答して、前記命令を出力する出力ポート（７）を変更する。
【００１５】
また、そのクロスバ・スイッチ（１）において、前記入力ポート切替部（４）は、前記命令を受信する第１ノード（Ｎ１）と、前記入力ポート（１４１）に接続される第２ノード（Ｎ３）と、前記他の入力ポート（１４２）に接続される第３ノード（Ｎ６）と、前記第１ノード（Ｎ１）を前記第２ノード（Ｎ３）または記第３ノード（Ｎ６）の一方に選択的に接続する入力切替スイッチとを備えて構成されることが好ましい。そして、前記入力切替スイッチは、前記入力ポート（５）の障害の発生に応答して、前記第１ノード（Ｎ１）と前記第２ノード（Ｎ３）との接続を遮断し、前記第１ノード（Ｎ１）と前記第３ノード（Ｎ６）とを接続する。
【００１６】
また、そのクロスバ・スイッチ（１）において、前記出力ポート切替部（８）は、前記クロスバ部（６）から出力される前記命令を出力する第４ノード（Ｎ９）と、前記出力ポート（１６１）に接続される第５ノード（Ｎ７）と、前記他の出力ポート（１６２）に接続される第６ノード（Ｎ１０）と、前記第４ノード（Ｎ９）を前記第５ノード（Ｎ７）または前記第６ノード（Ｎ１０）の一方に選択的に接続する出力切替スイッチとを備えて構成されることが好ましい。この場合に、前記出力切替スイッチは、前記入力ポート（５）の切替に応答して、前記第４ノード（Ｎ９）と前記第５ノード（Ｎ７）との接続を遮断し、前記第４ノード（Ｎ９）と前記第６ノード（Ｎ１０）とを接続する。
【００１７】
さらに、そのクロスバ・スイッチ（１）において、前記パス管理部は、前記クロスバ部（６）の所定のポートに対して接続された装置から発行される接続命令に応答して、前記所定のポートが接続されたことを記録する接続ポート管理部と、前記所定のポートの使用開始を示す使用中命令に応答して前記所定のポートが使用中である事を記録する未使用ポート管理部とを備えて構成されることが好ましい。ここで、前記未使用ポート管理部は、前記所定のポートの使用を停止するときに発行される使用終了命令を受け取ったら、前記所定のポートが未使用である事を記録する。またパス管理部は、パス切り替えが可能なポートを検索し、未接続ポートで過去に障害が発生していないポートがあった場合はパス切り替えを実施できると判断し、ポートの切り替え支持を発行するパス切替決定部と、接続ポート管理部で未接続と判断されているポートと、未使用ポート管理部で未使用ポートと判断されているポートに対して疑似命令の発行支持を行う擬似命令発行指示部とをさらに備える構成であってもよい。
【００１８】
そのクロスバ・スイッチ（１）において、さらに、前記疑似命令を実行しているポートで発生する障害を検知する障害検出部を具備する構成であってもよい。ここで、前記障害検出部は、障害の検知に応答して、障害が発生しているポートを障害ポートとしてポート記憶部に登録し、前記障害ポートが登録された時に障害ポート情報を出力し、前記パス管理部は、前記障害ポート情報に応答して、パス切り替えを支持する。
【００１９】
このように、本発明は上記の目的を達成するために、未使用／未接続のポートから疑似命令を発行し、未使用／未接続のポートのクロスバ部に対して負荷試験を実施する。この疑似試験時に未使用ポートで障害が発生した時は、障害が発生していない未接続ポートに内部接続を変更することによって使用時の障害を回避する事を特徴とする。
【発明の効果】
【００２０】
本発明によると、障害発生時後に、障害が発生したポートに接続されている装置を切り離すことなく、クロスバに向かう経路を内部的に変更することによって、システムの性能が低下させることなく障害に対応することが可能になる。
【発明を実施するための最良の形態】
【００２１】
以下に、図面を参照して本発明を実施するための形態について説明を行う。図２は、本実施の形態のクロスバスイッチを備えるシステムの構成を例示するブロック図である。図２を参照すると、本実施の形態のクロスバスイッチを備えるシステムは、クロスバ・スイッチ１と、送信側第１装置２と、受信側第１装置３とを含んで構成されている。本実施の形態のクロスバスイッチを備えるシステムは、送信側第１装置２とクロスバ入力段５との間に入力切替段４を設け、クロスバ出力段７と受信側第１装置３との間に出力切替段８を設けることによって、ポートの切り替えを可能にしている。
【００２２】
送信側第１装置２は、命令を送信する送信側に備えられている情報処理装置である。本実施の形態の命令は、［命令識別子／疑似命令ＦＬＡＧ／送出元アドレス／出力先アドレス］等から構成されることが好ましい。受信側第１装置３は、送信側第１装置２から送信される命令を受信する受信側に備えられている情報処理装置である。クロスバ・スイッチ１は、送信側第１装置２と受信側第１装置３との間の設けられているクロスバスイッチである。
【００２３】
図２に示されているように、クロスバ・スイッチ１は、入力切替段４と、クロスバ入力段５と、スイッチ段６と、クロスバ出力段７と、出力切替段８と、障害検出部９と、パス管理部１０とを含んで構成されている。入力切替段４は、複数の入力切替部（第１入力切替部１１１〜第ｎ入力切替部１１ｎ）を含んで構成されている。図２に示されているように、各入力切替部（１１１〜１１ｎ）は、それぞれ二つの切替スイッチ（１２１と１２２の組〜１２ｎー１と１２ｎの組）を有している。クロスバ入力段５は、複数の入力ポート（１４１〜１４ｎ）と、その複数の入力ポート（１４１〜１４ｎ）のそれぞれに接続される擬似命令発行部（第１擬似命令発行部１３１〜第ｎ擬似命令発行部１３ｎ）とを含んで構成されている。スイッチ段６は、クロスバ入力段５から供給される命令を所定のポートに出力するクロスバ部１５を含んで構成されている。クロスバ出力段７は、クロスバ部１５を介して供給される命令を受ける複数の出力ポート（第１出力ポート１６１〜第ｎ出力ポート１６ｎ）を含んで構成されている。出力切替段８は、複数の出力切替部（第１入力切替部１７１〜第ｎ入力切替部１７ｎ）を含んで構成されている。図２に示されているように、各出力切替部（１７１〜１７ｎ）は、それぞれ二つの切替スイッチ（１８１と１８２の組〜１８ｎー１と１８ｎの組）を有している。
【００２４】
障害検出部９は、疑似命令を実行しているポートで障害が発生しているかどうかを監視する障害検出機能ブロックである。
【００２５】
パス管理部１０は、クロスバ・スイッチ１のパスを管理する情報処理機能ブロックである。
【００２６】
図３は、上述の障害検出部９とパス管理部１０との詳細な構成を例示するブロック図である。図３を参照すると、障害検出部９は障害ポート記憶部３０を含んで構成されている。また、パス管理部１０は、接続ポート管理部３１と、未使用ポート管理部３２と、パス切替決定部３３と、擬似命令発行指示部３４とを含んで構成されている。
【００２７】
障害ポート記憶部３０は、疑似命令を実行しているポートで障害が発生した場合に、そのポートを記憶する記憶機能ブロックである。
【００２８】
接続ポート管理部３１は、送信側第１装置２と第１入力ポート１４１が接続されたときに、に該当ポートが接続されたことを記録するポート接続状態管理機能ブロックである。未使用ポート管理部３２は、所定のポートが未使用である事を記録するポート接続状態管理機能ブロック。パス切替決定部３３は、障害ポート記憶部３０の情報と接続ポート管理部３１の情報に基づいて、ポートの切り替え支持を発行する命令発行機能ブロックである。擬似命令発行指示部３４は、疑似命令発行部１３に対して疑似命令の発行支持を行う。命令発行機能ブロックである。
【００２９】
以下、本実施の形態の動作について説明を行う。送信側第１装置２は、クロスバに対して接続した事を示す命令（以下、接続命令と呼ぶ）を発行する。クロスバ入力段５は接続命令を受け取ったら、信号線Ｓ３によりパス管理部１０に報告する。接続命令を受け取ったパス管理部１０は、接続ポート管理部３１に該当ポートが接続されたことを記録する。
【００３０】
送信側第１装置２とクロスバが接続され、送信側第１装置２がクロスバに対して命令を発行する前に、これから使用することを示す命令（以下、使用中命令と呼ぶ）を、クロスバに対して発行する。クロスバ入力段５は使用中命令を受け取ったら、信号線Ｓ３によりパス管理部１０に報告する。使用中命令を受け取ったパス管理部１０は、未使用ポート管理部３２に該当ポートが使用中である事を記録する。
【００３１】
送信側第１装置２と接続するクロスバを使用するのをやめる時は、送信側第１装置２がクロスバに対して全ての命令を発行し終わった後に、使用終了を示す命令（以下、使用終了命令と呼ぶ）を、クロスバに対して発行する。クロスバ入力段５は使用終了命令を受け取ったら、信号線Ｓ３によりパス管理部１０に報告する。使用終了命令を受け取ったパス管理部１０は、未使用ポート管理部３２に該当ポートが未使用である事を記録する。
【００３２】
パス管理部１０内の、疑似命令発行指示部３４が接続ポート管理部３１で未接続と判断したポートと、未使用ポート管理部３２で未使用ポートと判断したポートに対して信号線Ｓ４１によって入力部にある疑似命令発行部１３に対して疑似命令の発行支持を行う。疑似命令発行指示を受けた疑似命令発行部１３は、未接続ポートもしくは未使用ポートに対して疑似命令は発行する。
【００３３】
疑似命令を実行しているポートで障害が発生した場合は、障害検出部９の障害ポート記憶部３０に登録を行う。障害ポート記憶部３０に障害ポートが登録された時に、信号線Ｓ１によりパス管理部１０に障害ポート情報を送る。障害ポート情報をパス管理部１０が受け取り、パス切り替え決定部３３が未使用ポート管理部３２の情報から、障害が発生したのは未使用ポートであると判断したときにパス切り替え決定部３３は、障害ポート記憶部３０の情報と接続ポート管理部３１の情報から、パス切り替えが可能な未接続ポートで過去に障害が発生していないポートがあった場合はパス切り替えを実施できると判断し、信号線Ｓ４１によって入力切替段４と出力切替段８に対してポートの切り替え支持を発行し、ポートの切り替えを実施する。
【００３４】
障害ポート記憶部３０に障害ポートが登録された時に、信号線Ｓ１によりパス管理部１０に障害ポート情報を送る。障害ポート情報をパス管理部１０が受け取り、パス切り替え決定部３３が未使用ポート管理部３２の情報から、障害が発生したのが未使用ポートでなかった場合は、パス切り替えは実施せずに障害ポート記憶部３０に障害があったことに履歴を残しておく。
【００３５】
障害ポート記憶部３０に障害ポートが登録された時に、信号線Ｓ１によりパス管理部１０に障害ポート情報を送る。障害ポート情報をパス管理部１０が受け取り、パス切り替え決定部３３が未使用ポート管理部３２の情報から、障害が発生したのは未使用ポートでると判断したときにパス切り替え決定部３３は、障害ポート記憶部３０の情報と接続ポート管理部３１の情報から、パス切り替えが可能な未接続ポートが過去に障害が発生していた形跡があった場合はパス切り替え実施することができないと判断し、パス切り替えは実施せずに障害ポート記憶部３０に障害があったことに履歴を残しておく。
【００３６】
障害ポート記憶部３０に障害ポートが登録された時に、信号線Ｓ１によりパス管理部１０に障害ポート情報を送る。障害ポート情報をパス管理部１０が受け取り、パス切り替え決定部３３が未使用ポート管理部３２の情報から、障害が発生したのは未使用ポートでると判断したときにパス切り替え決定部３３は、障害ポート記憶部３０の情報と接続ポート管理部３１の情報から、パス切り替えが可能な未接続ポートがなかった場合はパス切り替えを実施することができないと判断し、パス切り替えは実施せずに障害ポート記憶部３０に障害があったことに履歴を残しておく。クロスバのポート部で障害が発生したときは、使用ポートを切り替える事によってケーブルのつなぎ変え／クロスバの交換を行わずに、クロスバに接続されている装置を復旧させる。
【００３７】
以下に、上記の動作を図面を参照して具体的に説明する。図４は、本実施の形態における通常の命令経路を示すブロック図である。また、図５は、本実施の形態における障害検出時の状態を示すブロック図である。さらに、図６は、本実施の形態における障害検出後の命令経路を示すブロック図である。
【００３８】
図４を参照すると、障害が発生する前は送信側第１装置２が接続されたポートを使用して他の装置に対して命令の転送を実行している。クロスバに対して接続をしているが、クロスバに対して命令を出力していない未使用状態にあるポートと、装置が接続されていない未接続状態にあるポートは、図５に示すように疑似命令を発行しクロスバの試験を実施する。疑似命令を実行したことによって未使用ポートで障害があった場合は、過去に障害が発生していない未接続ポートへとパスの切り替えを実施する。パス切り替えを実施した後は、図６に示すように障害があった箇所を回避して新規経路を通り他の装置に対して命令の転送を行うようにすることにより、障害が発生した場合においてもシステムから切り離しを行わないですむため性能の低下が発生することなく運用が可能になる。
【図面の簡単な説明】
【００３９】
【図１】図１は、従来クロスバスイッチを使用したシステム構成を示すブロック図である。
【図２】図２は、本発明を適用したクロスバスイッチを使用したシステムの構成を例示するブロック図である。
【図３】図３は、本発明のクロスバスイッチに備えられた、障害検出部９とパス管理部１０の構成を例示するブロック図である。
【図４】図４は、本実施の形態における通常の命令経路を示すブロック図である。
【図５】図５は、本実施の形態における障害検出時の状態を示すブロック図である。
【図６】図６は、本実施の形態における障害検出後の命令経路を示すブロック図である。
【符号の説明】
【００４０】
１…クロスバ・スイッチ
２…送信側第１装置
３…受信側第１装置
４…入力切替段
５…クロスバ入力段
６…スイッチ段
７…出力段
８…出力切替段
９…障害検出部
１０…パス管理部
１１１〜１１ｎ…入力切替部
１２１〜１２ｎ…切替スイッチ
１３１〜１３ｎ…擬似命令発行部
１４１〜１４ｎ…入力ポート
１５…クロスバ部
１６１〜１６ｎ…出力ポート
１７１〜１７ｎ…出力切替部
１８１〜１８ｎ…切替スイッチ
１９、２０…ケーブル
３０…障害ポート記憶部
３１…接続ポート管理部
３２…未使用ポート管理部
３３…パス切り替え決定部
３４…疑似命令発行指示部
Ｓ１、Ｓ２、Ｓ３、Ｓ４１〜Ｓ４ｎ…信号線
１０１…クロスバ装置
１０２…第１装置
１０３…第２装置
１０５…入力部
１０６…クロスバ部
１０７…出力部
１０８１〜１０８ｎ…入力ポート
１０９…スイッチ部
１１０１〜１１０ｎ…出力ポート
１１１，１１２…ケーブル
【図１】
2006279328.tif 000003
【図２】
2006279328.tif 000004
【図３】
2006279328.tif 000005
【図４】
2006279328.tif 000006
【図５】
2006279328.tif 000007
【図６】
2006279328.tif 000008